(57)【特許請求の範囲】
【請求項１】
エレベータ出入口の三方枠の扉に対面する面で、乗客の体の少なくとも一部が上記扉と上記三方枠との間に挿入されることのある領域に設けられ、上記三方枠の一部を形成する不作動位置および上記扉との間の間隙が広がる方向に移動した作動位置の間で可動の可動枠と、
上記可動枠の上記扉に対面する面に設けられ、乗客が直接触れたことを検知して、乗客の体の少なくとも一部が上記扉と上記三方枠との間に挿入されたことを表す検出信号を発生する接触センサと、
上記三方枠に設けられ、上記接触センサからの上記検出信号に応じて上記可動枠を上記不作動位置から上記作動位置に駆動する駆動装置とを備えたことを特徴とするエレベータ扉安全装置
【請求項２】
上記三方枠に設けられ、上記接触センサからの上記検出信号に応じて点灯する解放ボタンを備え、
上記駆動装置が、上記乗客による上記解放ボタンの操作によっても上記可動枠を上記不作動位置から上記作動位置に駆動するものであることを特徴とする請求項１記載のエレベータ扉安全装置。
【請求項３】
エレベータ出入口の三方枠の扉に対面する面で、乗客の体の少なくとも一部が上記扉と上記三方枠との間に挿入されることのある領域に設けられ、上記三方枠の一部を形成する不作動位置および上記扉との間の間隙が広がる方向に移動した作動位置の間で可動の可動枠と、
上記可動枠の上記扉に対面する面に設けられ、乗客が直接触れたことを検知して、乗客の体の少なくとも一部が上記扉と上記三方枠との間に挿入されたことを表す検出信号を発生する接触センサと、
上記三方枠に設けられ、上記接触センサからの上記検出信号に応じて点灯する解放ボタンと、
上記三方枠に設けられ、上記解放ボタンの操作により上記可動枠を上記不作動位置から上記作動位置に駆動する駆動装置とを備えたことを特徴とするエレベータ扉安全装置。
【請求項４】
上記可動枠が上記不作動位置にばね偏倚されていることを特徴とする請求項１乃至３のいずれか記載のエレベータ扉安全装置。
【請求項５】
上記駆動装置が電磁石である請求項１乃至４のいずれか記載のエレベータ扉安全装置。
【発明の詳細な説明】
【０００１】
【発明の属する技術分野】
この発明はエレベータ扉安全装置に関し、特にエレベータの乗場あるいはかごの出入口に設けられて三方枠と扉との間の指詰め対策を施したエレベータ扉安全装置に関するものである。
【０００２】
【従来の技術】
図８および図９には、従来のエレベータのドア安全装置（実開昭５８−１６７７５公報）の一例を示す。この安全装置は、図８に示すエレベータ装置において、エレベータかご１の出入口２を形成する出入口枠３と、かご１の出入口２を外側から開閉するドア４との間に設けられている。この部分は、図８の円Ｄで囲んだ部分であり、拡大して図９に示してある。図９において、出入口枠３とドア４との間には間隙Ｅが形成されており、この間隙Ｅに面して安全装置が設けられている。
【０００３】
安全装置は、出入口枠３に取り付けられた固定枠５によりドア４の移動方向（矢印Ａ）と直角方向に移動可能に設けられた段付ピン６を備えている。段付ピン６の先端には間隙Ｅに望んだ応動体７が固着されている。応動体７は、常時はばね８とナット９とのより図示の位置に弾性的に保持されているが、間隙Ｅに乗客の指等が挟まれたときにはばね８が圧縮されてドア４から離れる方向に移動する。段付ピン６の他端側には固定枠５に支持されたスイッチ１０が配置されていて、段付ピン６の移動を検出し、間隙Ｅに指等が挟まれたことを表す信号を発生する。この信号は建物の管理室あるいはエレベータの保守作業員室に送られ、処理作業員が派遣されて適切な処理を施して乗客を救出する。
【０００４】
【発明が解決しようとする課題】
しかしながら、このような従来の方式では、乗客は指等が挟まれたままで救出作業員の到着を待たねばならず、心理的に非常な苦痛を与える。また、この間エレベータは停止状態にあるので、他の乗客に多大の不便を強いることになる。更に、コストの面からも救出作業員の派遣は避けるのが望ましい。
【０００５】
従ってこの発明の目的は、乗客の手や指が出入口隙間に挟み込まれても、保守作業員の助け無しで直ちに抜き出すことができて、保守作業員の到着を待つ必要がなく、またエレベータの運転停止や保守作業員の派遣をする必要のないエレベータ扉安全装置を得ることである。
【０００６】
【課題を解決するための手段】
この発明によれば、上述の課題を解決するための手段は次の通りである。
（１）エレベータ扉安全装置は、エレベータ出入口の三方枠の扉に対面する面で、乗客の体の少なくとも一部が上記扉と上記三方枠との間に挿入されることのある領域に設けられ、上記三方枠の一部を形成する不作動位置および上記扉との間の間隙が広がる方向に移動した作動位置の間で可動の可動枠と、上記可動枠の上記扉に対面する面に設けられ、乗客が直接触れたことを検知して、乗客の体の少なくとも一部が上記扉と上記三方枠との間に挿入されたことを表す検出信号を発生する接触センサと、上記接触センサからの上記検出信号に応じて上記可動枠を上記不作動位置から上記作動位置に駆動する駆動装置とを備えている。
【０００７】
（２）エレベータ扉安全装置は、上記三方枠に設けられ、上記接触センサからの上記検出信号に応じて点灯する解放ボタンを備え、上記駆動装置が、上記乗客による上記解放ボタンの操作によっても上記可動枠を上記不作動位置から上記作動位置に駆動するものであっても良い。
【０００８】
（３）また、エレベータ扉安全装置は、エレベータ出入口の三方枠の扉に対面する面で、乗客の体の少なくとも一部が上記扉と上記三方枠との間に挿入されることのある領域に設けられ、上記三方枠の一部を形成する不作動位置および上記扉との間の間隙が広がる方向に移動した作動位置の間で可動の可動枠と、上記可動枠の上記扉に対面する面に設けられ、乗客が直接触れたことを検知して、乗客の体の少なくとも一部が上記扉と上記三方枠との間に挿入されたことを表す検出信号を発生する接触センサと、上記三方枠に設けられ、上記接触センサからの上記検出信号に応じて点灯する解放ボタンと、上記三方枠に設けられ、上記解放ボタンの操作により上記可動枠を上記不作動位置から上記作動位置に駆動する駆動装置とを備えている。
【０００９】
（４）また、上記可動枠が上記不作動位置にばね偏倚されていても良い。
【００１０】
（５）また、上記駆動装置が電磁石であっても良い。
【００１１】
【発明の実施の形態】
実施の形態１．
図１乃至図６には本発明のエレベータ扉安全装置をエレベータの乗場に適用した一実施形態を示してある。図示のエレベータは、乗場床１１と三方枠１２とにより囲まれたエレベータ出入口１３を備えており、エレベータ出入口１３は間隙Ｅを隔てて設けられた扉１４によって開閉される。
【００１２】
本発明のエレベータ扉安全装置は、三方枠１２の一部として、三方枠１２の扉１４に対面する対向面１５の一部に三方枠１２に対して可動の可動枠１６を備えている。可動枠１６は、図２に良く示されているように三方枠１２の上述の対面する面１５のうち、手指等の乗客の体の一部が扉１４と三方枠１２との間に挿入される可能性のある領域全体に亘って設けられている。図示の例では、この領域は乗場床からの高さで約５００ｍｍの位置から約１、８００ｍｍの位置の範囲であり、可動枠１６はこの範囲全体に亘って延びた長さが約１、３００ｍｍの部材である。
【００１３】
図３および図４に示されているように、可動枠１６は、三方枠１２の上述の領域に対応する部分に設けた切欠１７内に設けられていて、これらの図に示す不作動位置では三方枠１２の対向面１５とほぼ面一となって切欠１７から間隙Ｅに向かって露出していて、三方枠１２の一部を形成している。
【００１４】
三方枠１２の内部にはブラケット１８が設けられていて、ブラケット１８と三方枠１２の対向面１５との間にはガイドピン１９が設けられており、ガイドピン１９には可動枠１６がガイド穴２０によって図３および図５に示す不作動位置と図４および図６に示す作動位置との間で摺動できるようにはめられている。不作動位置とは、可動枠１６が扉１４に間隙Ｅを介して近接していて三方枠１２の一部を形成している位置であり、作動位置とは、可動枠１６が扉１４から離れて間隙Ｅが広がる方向に移動した位置である。可動枠１６とブラケット１８との間には圧縮ばね２１が設けられていて、可動枠１６は常に所定の力で図３の不作動位置に偏倚されていて、三方枠１２の一部を形成しているので、通常の利用状況では乗客の手指等の異物が間隙Ｅに入り込むことを防げるし、エレベータの三方枠１２の美観を損なうこともない。
【００１５】
三方枠１２のブラケット１８と可動枠１６との間には、可動枠１６を吸着して駆動するための駆動装置である電磁石２２が多数個設けられている。電磁石２２は鉄心２３の回りにコイル２４が巻かれたものである。また、可動枠１６の間隙Ｅに面した表面には多数の接触センサ２５が設けられていて、間隙Ｅに入り込んだ手指Ｆ等の存在を検出して乗客が直接接触センサ２５（可動枠１６）に触れたことを検知して、乗客の体の一部が扉１４と三方枠１２との間の間隙Ｅに挿入されたことを表す検出信号を発生する。接触センサ２５は、圧力、静電気あるいは熱の変化を検出するセンサ等を使用できる。各接触センサ２５は配線２６および中継端子２７を介して図示してないエレベータ制御装置に接続されており、また、各電磁石２２も配線２６および中継端子２７を介して制御装置（図示してない）に接続されていて、接触センサ２５からの検出信号に応じて可動枠１６が不作動位置（図３および図５）から作動位置（図４および図６）に駆動されるようにしてある。
【００１６】
間隙Ｅに入り込んだ手指Ｆ等が直接接触センサ２５（可動枠１６）に触れると、接触センサ２５は検出信号を中継端子２７を介して制御装置に供給し、電磁石２２が付勢されて可動枠１６をばね２１の押圧力に抗して吸引し、図４および図６に示す作動位置に駆動して間隙Ｅが広がる。手指Ｆ等が抜き出されると、制御装置への検出信号の供給が停止されるので電磁石２２の付勢も停止されて、可動枠１６はばね２１の押圧力により図３および図５に示す不作動位置に復帰する。必要があれば、検出信号によってエレベータの運転を一時的に停止させ、安全点検を行った後に復帰するように設定することもできる。
【００１７】
このように、この発明のエレベータ扉安全装置によれば、間隙Ｅに挟み込まれた手指Ｆ等は直ちに容易に抜き出すことができて、乗客は指等が挟まれたままで救出作業員の到着を待つ必要がない。また、エレベータは殆ど停止させる必要がないので、稼働効率や他の乗客の便宜性に影響を与えることがない。更に、救出作業員の派遣は必要がない。
【００１８】
実施の形態２．
次に実施の形態２を説明する。本実施の形態は、図７に示すように接触センサ２５からの検出信号に応じて点灯する解放ボタン２８が三方枠に設けられ、解放ボタン２８の操作により可動枠１６を不作動位置から作動位置に駆動する実施形態である。
【００１９】
可動枠１６が、三方枠１２の乗場床からの高さで約５００ｍｍの位置から約１、８００ｍｍの位置の範囲に設けられた切欠１７内に設けられ、可動枠１６とブラケット１８との間に設けられた圧縮ばね２１の力で図３の不作動位置に偏倚され、三方枠１２の一部を形成するのは実施の形態１と同様である。
【００２０】
本実施の形態では、図７に示すように接触センサ２５からの検出信号に応じて点灯する解放ボタン２８が三方枠の挟まれた本人あるいは他の乗客が容易に手が届く位置に設けられている。この解放ボタン２８は、中継端子２７を介して図示してないエレベータ制御装置に接続されており、解放ボタン２８を操作することによってのみ可動枠１６が不作動位置（図３および図５）から作動位置（図４および図６）に駆動されるようにしてある。可動枠１６、駆動装置である電磁石２２等のその他の構成は実施の形態１のものと同様である。
【００２１】
間隙Ｅに入り込んだ手指Ｆ等が直接接触センサ２５（可動枠１６）に触れ、接触センサ２５が検出信号を発生すると、この検出信号に応じて解放ボタン２８が点灯し、間隙Ｅに手指Ｆ等が入り込んだことを周囲に知らせる。次に、この解放ボタン２８を操作すると、操作信号が、制御装置へ送られ、電磁石２２が付勢されて可動枠１６をばね２１の押圧力に抗して吸引し、図４および図６に示す作動位置に駆動して間隙Ｅが広がる。手指Ｆ等が抜き出され、解放ボタン２８の操作を止めると、制御装置への操作信号の供給が停止されるので電磁石２２の付勢も停止されて、可動枠１６はばね２１の押圧力により図３および図５に示す不作動位置に復帰する。
【００２２】
本実施の形態では、解放ボタン２８を設けることにより、接触センサ２５の検出信号によらなくとも、解放ボタン２８の操作により、制御装置を作動させ、可動枠１６をばね２１の押圧力に抗して吸引し、図４および図６に示す作動位置に駆動して間隙Ｅを広げることができる。従って、接触センサ２５の故障時や接触センサ２５が万一挟まれた指Ｆ等を検知できなくとも、解放ボタン２８の操作により、可動枠１６の移動が可能である。また、解放ボタン２８が点灯するので、指が挟まれたことを周囲の乗客にも直ちに知らして解放ボタン２８の操作を促すことができる。また、その位置を明確に表示することができる。
【００２３】
実施の形態３．
次に実施の形態３を説明する。本実施の形態は、実施の形態１と実施の形態２との組合わせである。
【００２４】
可動枠１６が、三方枠１２の乗場床からの高さで約５００ｍｍの位置から約１、８００ｍｍの位置の範囲に設けられた切欠１７内に設けられ、可動枠１６とブラケット１８との間に設けられた圧縮ばね２１の力で図３の不作動位置に偏倚され、三方枠１２の一部を形成するのは実施の形態１と同様である。
【００２５】
本実施の形態では、図７に示すように接触センサ２５からの検出信号に応じて点灯する解放ボタン２８が三方枠に設けられている。この解放ボタン２８は、中継端子２７を介して図示してないエレベータ制御装置に接続されていて、接触センサ２５からの検出信号あるいは解放ボタン２８の操作信号の少なくとも一方がエレベータ制御装置に伝わると可動枠１６が不作動位置（図３および図５）から作動位置（図４および図６）に駆動されるようにしてある。
【００２６】
実施の形態１と同様に、間隙Ｅに入り込んだ手指Ｆ等が直接接触センサ２５（可動枠１６）に触れ、接触センサ２５が検出信号を発生すると、この検出信号は中継端子２７を介して制御装置に供給され、同時に接触センサ２５の検出信号に応じて解放ボタン２８が点灯する。接触センサ２５が検出信号を中継端子２７を介して制御装置に供給すると、電磁石２２が付勢されて可動枠１６をばね２１の押圧力に抗して吸引し、図４および図６に示す作動位置に駆動して間隙Ｅが広がる。手指Ｆ等が抜き出されると、制御装置への検出信号の供給が停止されるので電磁石２２の付勢も停止されて、可動枠１６はばね２１の押圧力により図３および図５に示す不作動位置に復帰する。また、解放ボタン２８を操作することによっても、操作信号が制御装置へ送られ、電磁石２２が付勢されて可動枠１６をばね２１の押圧力に抗して吸引し、図４および図６に示す作動位置に駆動して間隙Ｅが広がる。手指Ｆ等が抜き出され、解放ボタン２８の操作を止めると、制御装置への操作信号の供給が停止されるので電磁石２２の付勢も停止されて、可動枠１６はばね２１の押圧力により図３および図５に示す不作動位置に復帰する。
【００２７】
本実施の形態では、間隙Ｅに挟み込まれた手指Ｆ等は直ちに容易に抜き出すことができて、乗客は指等が挟まれたままで救出作業員の到着を待つ必要がない。また、解放ボタン２８を設けることにより、接触センサ２５の検出信号によらなくとも、解放ボタン２８の操作により、制御装置を作動させ、可動枠１６をばね２１の押圧力に抗して吸引し、図４および図６に示す作動位置に駆動して間隙Ｅを広げることができる。従って、万一可動枠が自動で駆動されなかった場合には解放ボタンを操作することによって手動で作動位置に駆動して間隙を広げることができる。
【００２８】
【発明の効果】
以上の如く本発明のエレベータ扉安全装置による効果は次の通りである。
（１）エレベータ扉安全装置は、エレベータ出入口の三方枠の扉に対面する面で、乗客の体の少なくとも一部が上記扉と上記三方枠との間に挿入されることのある領域に設けられ、上記三方枠の一部を形成する不作動位置および上記扉との間の間隙が広がる方向に移動した作動位置の間で可動の可動枠と、上記可動枠の上記扉に対面する面に設けられ、乗客が直接触れたことを検知して、乗客の体の少なくとも一部が上記扉と上記三方枠との間に挿入されたことを表す検出信号を発生する接触センサと、上記接触センサからの上記検出信号に応じて上記可動枠を上記不作動位置から上記作動位置に駆動する駆動装置とを備えている。従って、乗客の手や指が出入口隙間に挟み込まれても、保守作業員の助け無しで直ちに抜き出すことができて、保守作業員の到着を待つ必要がなく、またエレベータの運転停止や保守作業員の派遣をする必要がない。
【００２９】
（２）また、エレベータ扉安全装置は、上記三方枠に設けられ、上記接触センサからの上記検出信号に応じて点灯する解放ボタンをも、上記駆動装置が、上記乗客による上記解放ボタンの操作によっても上記可動枠を上記不作動位置から上記作動位置に駆動するものであるので、乗客の手や指が出入口隙間に挟み込まれても、保守作業員の助け無しで直ちに抜き出すことができて、保守作業員の到着を待つ必要がなく、またエレベータの運転停止や保守作業員の派遣をする必要がなく、更に万一可動枠が自動で駆動されなかった場合には解放ボタンを操作することによって手動で作動位置に駆動して間隙を広げることができる。
【００３０】
（３）また、エレベータ扉安全装置は、エレベータ出入口の三方枠の扉に対面する面で、乗客の体の少なくとも一部が上記扉と上記三方枠との間に挿入されることのある領域に設けられ、上記三方枠の一部を形成する不作動位置および上記扉との間の間隙が広がる方向に移動した作動位置の間で可動の可動枠と、上記可動枠の上記扉に対面する面に設けられ、乗客が直接触れたことを検知して、乗客の体の少なくとも一部が上記扉と上記三方枠との間に挿入されたことを表す検出信号を発生する接触センサと、上記三方枠に設けられ、上記接触センサからの上記検出信号に応じて点灯する解放ボタンと、上記三方枠に設けられ、上記解放ボタンの操作により上記可動枠を上記不作動位置から上記作動位置に駆動する駆動装置とを備えている。従って、乗客の手や指が出入口隙間に挟み込まれても、保守作業員の助け無しで直ちに抜き出すことができて、保守作業員の到着を待つ必要がなく、またエレベータの運転停止や保守作業員の派遣をする必要がない。また、接触センサの故障時や接触センサが万一挟まれた指等を検知できなくとも、解放ボタンの操作により、可動枠の移動が可能である。
【００３１】
（４）また、可動枠が不作動位置にばね偏倚されているので、動作が確実で信頼性が高い。
【００３２】
（５）また、駆動装置が電磁石であるので、装置がコンパクトで動作の信頼性が高い。
【図面の簡単な説明】
【図１】  本発明のエレベータ扉安全装置を適用したエレベータ乗場の概略図。
【図２】  図１の矢視Ａ概略図。
【図３】  図２の可動枠を不作動の状態で示す概略拡大図。
【図４】  図２の可動枠を作動位置で示す概略拡大図。
【図５】  図２のＢ−Ｂ断面相当図で間隙Ｅに指が挟まった状態の図。
【図６】  図２のＢ−Ｂ断面相当図で可動枠が作動した状態の図。
【図７】  本発明のエレベータ扉安全装置の別の実施形態を示す図２と同様の概略図。
【図８】  従来のエレベータかごの平面断面図。
【図９】  図８のＤ部拡大図。
【符号の説明】
１２  三方枠、１３  出入口、１４  扉、１５  三方枠扉対向面、１６  可動枠、２１  圧縮ばね、２２  電磁石（駆動装置）、２５  接触センサ、２８  解放ボタン、Ｅ  間隙、Ｆ  指。
【図１】
0004202007.tif 000002
【図２】
0004202007.tif 000003
【図３】
0004202007.tif 000004
【図４】
0004202007.tif 000005
【図５】
0004202007.tif 000006
【図６】
0004202007.tif 000007
【図７】
0004202007.tif 000008
【図８】
0004202007.tif 000009
【図９】
0004202007.tif 000010